(57)【要約】【課題】ラベル印字用紙に対応したラベル印字フォーマットを、プリンタ側、又は、サーバーの記憶領域を過大にすることなく、また、容易に提供する。【解決手段】フォーマット設定装置９が、コンテンツ提供装置１に対して、ラベル印字用紙の管理番号と、印字領域フォーマットと、テンプレートファイル、又は、背景画像ファイルの選択を行うことによって、コンテンツ提供装置１から送られるデータから作成した印字データをプリンタ１５へ送信して、ラベル印字用紙に印字を行う。【選択図】  図１
2004192407.tif 000002
【特許請求の範囲】
【請求項１】
種類に応じて管理番号が付与されたラベル印字用紙にプリンタが印字するためのラベル印字フォーマットの設定を行うラベル印字フォーマット設定システムであって、
ラベル印字用紙の管理番号に対応して用意された各種の印字領域フォーマットファイルが格納された印字領域フォーマットファイル記憶手段、ラベル印字用紙の管理番号及び印字領域フォーマットファイルに対応して用意された各種のテンプレートファイルが格納されたテンプレートファイル記憶手段、並びに各種の画像ファイルが格納された画像ファイル記憶手段を備え、要求に応じてこれらの記憶手段に格納されたファイルを提供するコンテンツ提供装置と、
前記プリンタに接続されているとともに、前記コンテンツ提供装置にネットワークを介して接続されたフォーマット設定装置と、
を備え、
前記フォーマット設定装置は、
ユーザにより指定され若しくは選択されたラベル印字用紙の管理番号、印字領域フォーマットファイル、テンプレートファイル、及び画像ファイルを、前記コンテンツ提供装置より取得する選択取得手段と、
前記選択取得手段により取得された印字領域フォーマットファイル、テンプレートファイル、及び画像ファイルを合成することにより、ラベル印字フォーマットを生成し、前記プリンタが印字するためのラベル印字フォーマットとして設定するフォーマット設定手段と、
を備えていることを特徴とするラベル印字フォーマット設定システム。
【請求項２】
前記テンプレートファイルは、ラベル印字用紙に印字するテキストデータが記述されるテキスト記述領域を有しており、
ユーザにより入力されるテキストデータを前記選択取得手段が取得したテンプレートファイルのテキスト記述領域に挿入するテキスト挿入手段を備え、
前記フォーマット設定手段は、前記テキストデータの挿入されたテンプレートファイル、印字領域フォーマットファイル、及び画像ファイルを合成することにより、前記テキストデータが挿入されたラベル印字フォーマットの生成を行うことを特徴とする請求項１記載のラベル印字フォーマット設定システム。
【請求項３】
前記フォーマット設定装置又は前記プリンタは、
ユーザが独自に作成した印字領域フォーマットファイル、テンプレートファイル、又は画像ファイルを格納するユーザファイル記憶手段を備えていることを特徴とする請求項１又は２記載のラベル印字フォーマット設定システム。
【請求項４】
前記コンテンツ提供装置は、印字領域フォーマットファイル、テンプレートファイル、又は画像ファイルの内容を示す概略画像を生成し、前記フォーマット設定装置に送信する概略画像提供手段を備え、
前記フォーマット設定装置は、
表示装置と、
前記概略画像提供手段から送信される印字領域フォーマットファイル、テンプレートファイル、又は画像ファイルの内容を示す概略画像の一覧を前記表示装置に表示し、ユーザの選択を促す選択表示手段と、
を備え、
前記選択取得手段は、ユーザにより指定され、若しくは、前記選択表示手段により表示された概略画像の一覧の中からユーザにより選択された、ラベル印字用紙の管理番号、印字領域フォーマットファイル、テンプレートファイル、及び画像ファイルを、前記コンテンツ提供装置より取得することを特徴とする請求項１乃至３の何れか一記載のラベル印字フォーマット設定システム。
【請求項５】
種類に応じて管理番号が付与されたラベル印字用紙に印字するためのラベル印字フォーマットの生成を行うラベル印字フォーマット設定システムであって、
ラベル印字用紙の管理番号に対応して用意された各種の印字領域フォーマットファイルが格納された印字領域フォーマットファイル記憶手段、ラベル印字用紙の管理番号及び印字領域フォーマットファイルに対応して用意された各種のテンプレートファイルが格納されたテンプレートファイル記憶手段、並びに各種の画像ファイルが格納された画像ファイル記憶手段を備え、要求に応じてこれらの記憶手段に格納されたファイルを提供するコンテンツ提供装置と、
前記プリンタに接続されているとともに、前記コンテンツ提供装置にネットワークを介して接続されたフォーマット設定装置と、
を備え、
前記コンテンツ提供装置は、
前記フォーマット設定装置により指定される所定の印字領域フォーマットファイル、テンプレートファイル、及び画像ファイルを合成することにより、ラベル印字フォーマットを生成するフォーマット生成手段と、
前記フォーマット生成手段が生成するラベル印字フォーマットを前記フォーマット設定装置に送信するフォーマット送信手段と、
を備え、
前記フォーマット設定装置は、
ユーザにより指定され若しくは選択されたラベル印字用紙の管理番号、印字領域フォーマットファイル、テンプレートファイル、及び画像ファイルを、前記コンテンツ提供装置に対して指定する選択指示手段と、
前記フォーマット送信手段により送信される前記ラベル印字フォーマットを取得して、前記プリンタが印字するためのラベル印字フォーマットとして設定するフォーマット設定手段と、
を備えていることを特徴とするラベル印字フォーマット設定システム。
【請求項６】
前記テンプレートファイルは、ラベル印字用紙に印字するテキストデータが記述されるテキスト記述領域を有しており、
前記フォーマット設定装置は、ユーザにより入力される、ラベル印字用紙に印字するテキストデータを前記コンテンツ提供装置に送信するテキストデータ送信手段を備えており、
前記フォーマット生成手段は、前記テキストデータ送信手段から送信されるテキストデータを、前記テンプレートファイルのテキスト記述領域に挿入するとともに、当該テキストデータの挿入されたテンプレートファイル、印字領域フォーマットファイル、及び画像ファイルを合成することにより、前記テキストデータが挿入されたラベル印字フォーマットの生成を行うことを特徴とする請求項５記載のラベル印字フォーマット設定システム。
【請求項７】
前記フォーマット設定装置は、接続されたプリンタを特定するプリンタ特定コードを前記コンテンツ提供手段に送信するプリンタ特定コード送信手段を備え、
前記コンテンツ提供装置は、
各種プリンタの設定データが格納されたプリンタ設定データ記憶手段と、
前記プリンタ特定コード送信手段により送信されるプリンタ特定コードに対応するプリンタの設定データを、前記プリンタ設定データ記憶手段から取得するプリンタ設定データ取得手段と、
を備えており、
前記前記フォーマット生成手段は、前記プリンタ設定データ取得手段が取得したプリンタの設定データを参照することにより、当該プリンタの印字仕様に適合したラベル印字フォーマットの生成を行うことを特徴とする請求項６記載のラベル印字フォーマット設定システム。
【請求項８】
前記フォーマット送信手段は、前記ラベル印字フォーマットとともに前記プリンタの設定データを前記フォーマット設定装置に送信することを特徴とする請求項７記載のラベル印字フォーマット設定システム。
【請求項９】
前記フォーマット設定装置又は前記プリンタは、
ユーザが独自に作成した印字領域フォーマットファイル、テンプレートファイル、又は画像ファイルを格納するユーザファイル記憶手段を備えていることを特徴とする請求項５乃至８の何れか一に記載のラベル印字フォーマット設定システム。
【請求項１０】
前記コンテンツ提供装置は、印字領域フォーマットファイル、テンプレートファイル、又は画像ファイルの内容を示す概略画像を生成し、前記フォーマット設定装置に送信する概略画像提供手段を備え、
前記フォーマット設定装置は、
表示装置と、
前記概略画像提供手段から送信される印字領域フォーマットファイル、テンプレートファイル、又は画像ファイルの内容を示す概略画像の一覧を前記表示装置に表示し、ユーザの選択を促す選択表示手段と、
を備え、
前記選択指示手段は、ユーザにより指定され、若しくは、前記選択表示手段により表示された概略画像の一覧の中からユーザにより選択された、ラベル印字用紙の管理番号、印字領域フォーマットファイル、テンプレートファイル、及び画像ファイルを、前記コンテンツ提供装置に対して指定することを特徴とする請求項５乃至９の何れか一に記載のラベル印字フォーマット設定システム。
【発明の詳細な説明】
【０００１】
【発明の属する技術分野】
本発明は、ＣＤ、ＭＤ、カセットなどに貼付するシール等のラベル印字用紙に印字するためのラベル印字フォーマットの設定を行うラベル印字フォーマット設定システムに関し、特に、多種多様のラベル印字用紙に柔軟に対応してラベル印字フォーマットの設定を行うことのできるラベル印字フォーマット設定システムに関する。
【０００２】
【従来の技術】
ＣＤ、ＭＤ、カセット等に貼付するシール等のラベル印字用紙は、記録紙の寸法、印字領域の位置、寸法、形状など、多種多様である。そのため、プリンタによってこれらのラベル印字用紙に印字データを印字するには、ラベル印字用紙に応じたラベル印字フォーマットを用意し、それらを設定する必要がある。
【０００３】
以下、従来のラベル印字用紙のラベル印字フォーマット設定について説明する。
【０００４】
図１８は従来のラベル印字フォーマット設定システムを示すブロック図である。
【０００５】
図１８において、ラベル印字フォーマット設定システムは、サーバー１０１、制御装置１０５、及びプリンタ１１３からなり、これらはネットワーク１１４により相互に接続されている。
【０００６】
サーバー１０１は、通信制御部１０２、印字領域フォーマット検索制御部１０３、及び印字領域フォーマットデータベース１０４を有する。制御装置１０５は、通信制御部１０６、データ記憶部１０７、印字データ作成制御部１０８、入力制御部１０９、及びディスプレイ制御部１１０を有する。また、制御装置１０５の入力制御部１０９には、キーボード１１１が接続されており、制御装置１０５のディスプレイ制御部１１０には、ＣＲＴディスプレイ１１２が接続されている。
【０００７】
以上のように構成された従来のラベル印字フォーマット設定システムにおいて、以下その動作について説明する。
【０００８】
図１９は、従来の技術の制御装置の印字時の処理を示すフローチャートである。
【０００９】
まず、入力制御部１０９を介して、キーボード１１１より、制御装置１０５に印字領域フォーマットファイルの検索の要求があると（Ｓ２０１）、制御装置１０５は、キーボード１１１より指定された印字領域フォーマットファイル名をデータ記憶部１０７から検索する（Ｓ２０２）。
【００１０】
ここで、印字領域フォーマットファイルがデータ記憶部１０７にある場合は（Ｓ２０３）、後述のＳ２０７の処理へ進む。
【００１１】
一方、指定された印字領域フォーマットファイル名がデータ記憶部１０７にない場合は（Ｓ２０３）、通信制御部１０６は、サーバー１０１へ印字領域フォーマットデータの要求を行う。制御装置１０５から印字領域フォーマットデータの要求をうけたサーバー１０１は、印字領域フォーマット検索制御部１０３により、印字領域フォーマットデータベース１０４の中から、要求された印字領域フォーマットファイル名を検索する。そして、検索し取得した印字領域フォーマットデータを制御装置１０５へ送信する（Ｓ２０４）。
【００１２】
このとき、サーバー１０１から取得した印字領域フォーマットデータを登録する場合には（Ｓ２０５）、通信制御部１０６は、印字領域フォーマットデータをデータ記憶部１０７へ登録する（Ｓ２０６）。
【００１３】
続いて、通信制御部１０６は、ＣＲＴディスプレイ１１２にテキストデータの入力画面を表示してユーザに印字するテキストデータの入力を促し、キーボード１１１からユーザにより入力され印字するテキストデータを取得する（Ｓ２０７）。
【００１４】
次に、印字データ作成制御部１０８は、印字データの作成を行い（Ｓ２０８）、通信制御部１０６を介して、印字データをプリンタ１１３へ送信し（Ｓ２０９）、制御装置１０５は処理を終了する（Ｓ２１０）。そして、印字データを送られたプリンタ１１３は印字を行う。
【００１５】
ここで、印字領域フォーマットデータについて説明する。
【００１６】
図２０は、従来の技術のラベル印字用紙の印字領域を示す図である。
【００１７】
図２０において、ラベル印字用紙１１５には、矩形状の印字領域１１６，１１７，１１８が設けられている。以下、印字領域１１６，１１７，１１８を、それぞれ、印字領域ｍ１、印字領域ｍ２、印字領域ｍ３という。
【００１８】
印字領域ｍ１は、左下隅の頂点の座標が（ｘ１，ｙ１）であり、幅がｗ１、高さがｈ１である。印字領域ｍ２は、左下隅の頂点の座標が（ｘ２，ｙ２）であり、幅がｗ２、高さがｈ２である。印字領域ｍ３は、左下隅の頂点の座標が（ｘ３，ｙ３）であり、幅がｗ３、高さがｈ３である。尚、ここでは、座標の基準点（原点）は、ラベル印字用紙１１５の左下隅の頂点とされているものとする。
【００１９】
図２１は、従来の技術の印字領域フォーマットデータを表す図である。
【００２０】
図２１において、印字領域フォーマットデータは、ラベル印字フォーマット識別番号、各印字領域のラベル印字用紙上の領域の始点の位置（例えば、領域の左下隅の頂点の座標）、及び横幅と縦幅のデータの組から構成されている。例えば、図２０の印字領域ｍ１は、図２１において示すように、始点（ｘ１、ｙ１）、横幅ｗ１、縦幅ｈ１で定義される。
【００２１】
印字データ作成制御部１０８は、上述のような印字領域フォーマットデータに基づいてラベル印字用紙の印字領域にテキストデータが配置された印字データの作成を行う。（例えば特許文献１，２を参照）
【００２２】
【特許文献１】
特開平５−２３３６６０号公報（図１）
【特許文献２】
特開平１１−１２６１４０号公報（図１）
【００２３】
【発明が解決しようとする課題】
しかしながら、上記従来のラベル印字フォーマット設定システムでは、ラベル印字用紙の種類に対応する印字領域フォーマットが用意されておらず、新規の印字領域フォーマットを使用する必要がある場合においては、制御装置のアプリケーションで作成する必要がある。そのため、ユーザにとっては手間がかかるという欠点がある。また、多様なラベル印字用紙の印字に対応するには、多量のラベル印字フォーマットを用意する必要があるいう問題点を有していた。
【００２４】
そこで、本発明は上記従来の問題点を解決するもので、多種多様のラベル印字用紙に柔軟に対応したラベル印字フォーマットを、サーバーの記憶領域を過大にすることなく、容易に設定することができるラベル印字フォーマット設定システムを提供することを目的としている。
【００２５】
【課題を解決するための手段】
上記課題を解決するために、本発明に係るラベル印字フォーマット設定システムは、種類に応じて管理番号が付与されたラベル印字用紙にプリンタが印字するためのラベル印字フォーマットの設定を行うラベル印字フォーマット設定システムであって、ラベル印字用紙の管理番号に対応して用意された各種の印字領域フォーマットファイルが格納された印字領域フォーマットファイル記憶手段、ラベル印字用紙の管理番号及び印字領域フォーマットファイルに対応して用意された各種のテンプレートファイルが格納されたテンプレートファイル記憶手段、並びに各種の画像ファイルが格納された画像ファイル記憶手段を備え、要求に応じてこれらの記憶手段に格納されたファイルを提供するコンテンツ提供装置と、前記プリンタに接続されているとともに、前記コンテンツ提供装置にネットワークを介して接続されたフォーマット設定装置と、を備え、前記フォーマット設定装置は、ユーザにより指定され若しくは選択されたラベル印字用紙の管理番号、印字領域フォーマットファイル、テンプレートファイル、及び画像ファイルを、前記コンテンツ提供装置より取得する選択取得手段と、前記選択取得手段により取得された印字領域フォーマットファイル、テンプレートファイル、及び画像ファイルを合成することにより、ラベル印字フォーマットを生成し、前記プリンタが印字するためのラベル印字フォーマットとして設定するフォーマット設定手段と、を備えた構成としたものである。
【００２６】
これにより、多種多様のラベル印字用紙に柔軟に対応したラベル印字フォーマットを、サーバーの記憶領域を過大にすることなく、容易に設定することができるラベル印字フォーマット設定システムを実現することができる。
【００２７】
【発明の実施の形態】
本発明の請求項１に係るラベル印字フォーマット設定システムは、種類に応じて管理番号が付与されたラベル印字用紙にプリンタが印字するためのラベル印字フォーマットの設定を行うラベル印字フォーマット設定システムであって、ラベル印字用紙の管理番号に対応して用意された各種の印字領域フォーマットファイルが格納された印字領域フォーマットファイル記憶手段、ラベル印字用紙の管理番号及び印字領域フォーマットファイルに対応して用意された各種のテンプレートファイルが格納されたテンプレートファイル記憶手段、並びに各種の画像ファイルが格納された画像ファイル記憶手段を備え、要求に応じてこれらの記憶手段に格納されたファイルを提供するコンテンツ提供装置と、プリンタに接続されているとともに、コンテンツ提供装置にネットワークを介して接続されたフォーマット設定装置と、を備え、フォーマット設定装置は、ユーザにより指定され若しくは選択されたラベル印字用紙の管理番号、印字領域フォーマットファイル、テンプレートファイル、及び画像ファイルを、コンテンツ提供装置より取得する選択取得手段と、選択取得手段により取得された印字領域フォーマットファイル、テンプレートファイル、及び画像ファイルを合成することにより、ラベル印字フォーマットを生成し、プリンタが印字するためのラベル印字フォーマットとして設定するフォーマット設定手段と、を備えていることを特徴とする。
【００２８】
この構成により、ラベル印字用紙の印字領域の位置、寸法、形状など、多種多様なラベル印字用紙の種類に合わせて、印字領域フォーマット、テンプレート、印字領域に印字する画像を別個に選んで組み合わせによってラベル印字フォーマットを生成し、設定することができる。従って、ユーザは印字領域フォーマットファイル、及び、ラベル印字用紙の管理番号と印字領域フォーマットに対応するテンプレートファイル、及び画像ファイルを選択するだけで容易にラベル印字フォーマットを設定することができるようになる。また、多種多様なラベル印字用紙の種類に合わせて、印字領域フォーマット、テンプレート、印字領域に印字する画像の組み合わせを変えれば、ラベル印字用紙の種類に柔軟に対応してラベル印字フォーマットを設定することができるため、印字側のフォーマット設定装置、又は、プリンタのデータ記憶部の容量を軽減することができる。
【００２９】
請求項２に記載の発明は、請求項１に記載のラベル印字フォーマット設定システムにおいて、テンプレートファイルは、ラベル印字用紙に印字するテキストデータが記述されるテキスト記述領域を有しており、ユーザにより入力されるテキストデータを選択取得手段が取得したテンプレートファイルのテキスト記述領域に挿入するテキスト挿入手段を備え、フォーマット設定手段は、テキストデータの挿入されたテンプレートファイル、印字領域フォーマットファイル、及び画像ファイルを合成することにより、テキストデータが挿入されたラベル印字フォーマットの生成を行うことを特徴とする。
【００３０】
この構成により、テキストデータの入力を容易にする作用を有する。
【００３１】
請求項３に記載の発明は、請求項１又は２に記載のラベル印字フォーマット設定システムにおいて、フォーマット設定装置又はプリンタは、ユーザが独自に作成した印字領域フォーマットファイル、テンプレートファイル、又は画像ファイルを格納するユーザファイル記憶手段を備えていることを特徴とする。
【００３２】
この構成により、ユーザが独自に作成した印字領域フォーマット、テンプレート、又は、画像ファイルを容易に使用できるという作用が得られる。
【００３３】
請求項４に記載の発明は、請求項１乃至３の何れか一に記載のラベル印字フォーマット設定システムにおいて、コンテンツ提供装置は、印字領域フォーマットファイル、テンプレートファイル、又は画像ファイルの内容を示す概略画像を生成し、フォーマット設定装置に送信する概略画像提供手段を備え、フォーマット設定装置は、表示装置と、概略画像提供手段から送信される印字領域フォーマットファイル、テンプレートファイル、又は画像ファイルの内容を示す概略画像の一覧を表示装置に表示し、ユーザの選択を促す選択表示手段と、を備え、選択取得手段は、ユーザにより指定され、若しくは、選択表示手段により表示された概略画像の一覧の中からユーザにより選択された、ラベル印字用紙の管理番号、印字領域フォーマットファイル、テンプレートファイル、及び画像ファイルを、コンテンツ提供装置より取得することを特徴とする。
【００３４】
この構成により、コンテンツ提供装置が提供する印字領域フォーマットファイル、テンプレートファイル、又は画像ファイルの選択を容易にするという作用が得られる。
【００３５】
本発明の請求項５に係るラベル印字フォーマット設定システムは、種類に応じて管理番号が付与されたラベル印字用紙に印字するためのラベル印字フォーマットの生成を行うラベル印字フォーマット設定システムであって、ラベル印字用紙の管理番号に対応して用意された各種の印字領域フォーマットファイルが格納された印字領域フォーマットファイル記憶手段、ラベル印字用紙の管理番号及び印字領域フォーマットファイルに対応して用意された各種のテンプレートファイルが格納されたテンプレートファイル記憶手段、並びに各種の画像ファイルが格納された画像ファイル記憶手段を備え、要求に応じてこれらの記憶手段に格納されたファイルを提供するコンテンツ提供装置と、プリンタに接続されているとともに、コンテンツ提供装置にネットワークを介して接続されたフォーマット設定装置と、を備え、コンテンツ提供装置は、フォーマット設定装置により指定される所定の印字領域フォーマットファイル、テンプレートファイル、及び画像ファイルを合成することにより、ラベル印字フォーマットを生成するフォーマット生成手段と、フォーマット生成手段が生成するラベル印字フォーマットをフォーマット設定装置に送信するフォーマット送信手段と、を備え、フォーマット設定装置は、ユーザにより指定され若しくは選択されたラベル印字用紙の管理番号、印字領域フォーマットファイル、テンプレートファイル、及び画像ファイルを、コンテンツ提供装置に対して指定する選択指示手段と、フォーマット送信手段により送信されるラベル印字フォーマットを取得して、プリンタが印字するためのラベル印字フォーマットとして設定するフォーマット設定手段と、を備えていることを特徴とする。
【００３６】
この構成により、印字側のフォーマット設定装置、又は、プリンタの処理を軽減する作用を有する。
【００３７】
請求項６に記載の発明は、請求項５に記載のラベル印字フォーマット設定システムにおいて、テンプレートファイルは、ラベル印字用紙に印字するテキストデータが記述されるテキスト記述領域を有しており、フォーマット設定装置は、ユーザにより入力される、ラベル印字用紙に印字するテキストデータをコンテンツ提供装置に送信するテキストデータ送信手段を備えており、フォーマット生成手段は、テキストデータ送信手段から送信されるテキストデータを、テンプレートファイルのテキスト記述領域に挿入するとともに、当該テキストデータの挿入されたテンプレートファイル、印字領域フォーマットファイル、及び画像ファイルを合成することにより、テキストデータが挿入されたラベル印字フォーマットの生成を行うことを特徴とする。
【００３８】
この構成により、テキストデータの入力を容易にする作用を有する。
【００３９】
請求項７に記載の発明は、請求項６に記載のラベル印字フォーマット設定システムにおいて、フォーマット設定装置は、接続されたプリンタを特定するプリンタ特定コードをコンテンツ提供手段に送信するプリンタ特定コード送信手段を備え、コンテンツ提供装置は、各種プリンタの設定データが格納されたプリンタ設定データ記憶手段と、プリンタ特定コード送信手段により送信されるプリンタ特定コードに対応するプリンタの設定データを、プリンタ設定データ記憶手段から取得するプリンタ設定データ取得手段と、を備えており、フォーマット生成手段は、プリンタ設定データ取得手段が取得したプリンタの設定データを参照することにより、当該プリンタの印字仕様に適合したラベル印字フォーマットの生成を行うことを特徴とする。
【００４０】
この構成により、プリンタに対応した印字データを作成し、印字側のフォーマット設定装置、又は、プリンタのデータ記憶部の容量を軽減する作用を有する。
【００４１】
ここで、「プリンタの印字仕様」とは、プリンタが印字する際の左右上下の印字マージン、プリンタの解像度、色数等の印字品質等の仕様をいう。
【００４２】
請求項８に記載の発明は、請求項７に記載のラベル印字フォーマット設定システムにおいて、フォーマット送信手段は、ラベル印字フォーマットとともにプリンタの設定データをフォーマット設定装置に送信することを特徴とする。
【００４３】
この構成により、ユーザのプリンタへの設定作業を軽減する作用を有する。
【００４４】
請求項９に記載の発明は、請求項５乃至８の何れか一に記載のラベル印字フォーマット設定システムにおいて、フォーマット設定装置又はプリンタは、ユーザが独自に作成した印字領域フォーマットファイル、テンプレートファイル、又は画像ファイルを格納するユーザファイル記憶手段を備えていることを特徴とする。
【００４５】
この構成により、ユーザが独自に作成した印字領域フォーマットファイル、テンプレートファイル、又は、画像ファイルを容易に使用できる作用を有する。
【００４６】
請求項１０に記載の発明は、請求項５乃至９の何れか一に記載のラベル印字フォーマット設定システムにおいて、コンテンツ提供装置は、印字領域フォーマットファイル、テンプレートファイル、又は画像ファイルの内容を示す概略画像を生成し、フォーマット設定装置に送信する概略画像提供手段を備え、フォーマット設定装置は、表示装置と、概略画像提供手段から送信される印字領域フォーマットファイル、テンプレートファイル、又は画像ファイルの内容を示す概略画像の一覧を表示装置に表示し、ユーザの選択を促す選択表示手段と、を備え、選択指示手段は、ユーザにより指定され、若しくは、選択表示手段により表示された概略画像の一覧の中からユーザにより選択された、ラベル印字用紙の管理番号、印字領域フォーマットファイル、テンプレートファイル、及び画像ファイルを、コンテンツ提供装置に対して指定することを特徴とする。
【００４７】
この構成により、コンテンツ提供装置が提供する印字領域フォーマット、テンプレートファイル、又は、画像ファイルの選択を容易にする作用を有する。
【００４８】
以下、本発明の一実施の形態について、図面を参照しながら説明する。
【００４９】
（実施の形態１）
図１は本発明の実施の形態１に係るラベル印字フォーマット設定システムのブロック図である。
【００５０】
図１において、本実施の形態に係るレベル印字フォーマット設定システムは、コンテンツ提供装置１とフォーマット設定装置９とがネットワーク１６により接続された構成からなる。
【００５１】
コンテンツ提供装置１は、通信制御部２、印字領域フォーマット検索制御部３、印字領域フォーマットデータベース４、テンプレートファイル検索制御部５、テンプレートファイルデータベース６、背景画像ファイル検索制御部７、及び背景画像ファイルデータベース８を有する。
【００５２】
フォーマット設定装置９は、通信制御部１０、データ記憶部１１、及び印字データ作成制御部１２を有する。また、フォーマット設定装置９は、ローカルネットワーク１７により、ディスプレイ１３、入力端末１４、及びプリンタ１５とに接続されている。
【００５３】
ここで、本発明の構成と、本実施の形態におけるシステムの各部の構成との対応関係は、以下の通りである。
【００５４】
まず、印字領域フォーマットファイル記憶手段、テンプレートファイル記憶手段、及び画像ファイル記憶手段は、それぞれ、印字領域フォーマットデータベース４、テンプレートファイルデータベース６、及び背景画像ファイルデータベース８により実現されている。また、選択取得手段は、通信制御部１０により実現されている。また、フォーマット設定手段及びテキスト挿入手段は、印字データ作成制御部１２により実現されている。また、ユーザファイル記憶手段は、データ記憶部１１により実現されている。また、概略画像提供手段は、テンプレートファイル検索制御部５、背景画像ファイル検索制御部７、及び通信制御部２が協働することにより実現されている。また、表示手段は、ディスプレイ１３により実現されている。また、選択表示手段は、通信制御部１０、ディスプレイ１３、及び入力端末１４が協働することにより実現されている。
【００５５】
以上のように構成された本実施の形態に係るラベル印字フォーマット設定システムについて、以下その動作を説明する。
【００５６】
図２は本発明の実施の形態１に係るラベル印字フォーマット設定システムの動作手順を示すフローチャートである。
【００５７】
図２において、入力端末１４からフォーマット設定装置９にラベル印字フォーマット設定の要求があると（Ｓ１）、フォーマット設定装置９は、印字領域フォーマットファイルの取得を行う（Ｓ２，Ｓ３）。
【００５８】
ここで、フォーマット設定装置９の印字領域フォーマットファイルの取得動作について補足説明する。
【００５９】
図３は本発明の実施の形態１に係るラベル印字フォーマット設定システムの印字領域フォーマットファイルの取得手順を示すフローチャートである。
【００６０】
図３において、ユーザにより、入力端末１４から印字領域ファーマットファイルの印字を行うラベル印字用紙に対応する管理番号がフォーマット設定装置９に入力されると（Ｓ１０１）、通信手段１０は、それをコンテンツ提供装置１へ送信し、印字領域フォーマットファイルを要求する（Ｓ１０２）。
【００６１】
コンテンツ提供装置１は、ラベル印字用紙の管理番号を受信すると（Ｓ１０３）、印字領域フォーマット検索制御部３により、印字領域フォーマットデータベース４から、ラベル印字用紙の管理番号に対応する印字領域フォーマットファイルを検索する（Ｓ１０４）。そして、検索した印字領域フォーマットファイルのデータを、通信制御部２を介して、フォーマット設定装置９へ送信する（Ｓ１０５）。
【００６２】
フォーマット設定装置９は、通信制御部１０を介して、印字領域フォーマットファイルのデータを受信し、そのデータをデータ記憶部１１へ格納する（Ｓ１０６）。
【００６３】
以上の動作により、フォーマット設定装置９は印字領域フォーマットファイルを取得する。
【００６４】
尚、本実施の形態における印字領域フォーマットファイルの構成についても補足説明しておく。
【００６５】
図４はラベル印字用紙の印字領域を示す概略図、図５は印字領域フォーマットファイルの内容を示す図である。
【００６６】
図４において、ラベル印字用紙１８には、円環状の印字領域１９及び矩形状の印字領域２０，２１が設けられている。以下、これらの印字領域１９、２０、２１を、それぞれ、印字領域Ｍ１、印字領域Ｍ２、印字領域Ｍ３と称す。
【００６７】
印字領域Ｍ１は、半径がＲ１、中心座標が（Ｘ１、Ｙ１）の外周円と、半径がＲ２、中心座標が（Ｘ１、Ｙ１）の内周円とで囲まれた円環状の印字領域である。この場合、円環の中心を「始点」、中心座標を「始点座標」とよぶ。尚、本実施の形態においては、座標の原点は、ラベル印字用紙１８の左下の頂点２２とする。
【００６８】
印字領域Ｍ２は、左下頂点の座標が（Ｘ２、Ｙ２）、横幅がＷ１、縦幅がＨ１の長方形の印字領域である。この場合、長方形領域の左下頂点を「始点」、左下頂点の座標を「始点座標」と呼ぶ。
【００６９】
また、印字領域Ｍ３は、始点座標が（Ｘ３、Ｙ３）、横幅がＷ２、縦幅がＨ２の長方形の印字領域である。
【００７０】
これらの印字領域Ｍ１、印字領域Ｍ２、印字領域Ｍ３の部分が、実際にラベルをして使われる、いわゆる、シール部分である。
【００７１】
図５において、印字領域フォーマットファイルには、印字領域ファイル管理番号と印字領域フォーマットデータの組がリストとして格納されている。印字領域フォーマットデータは、例えば、図４のラベル印字用紙１８の場合であれば、印字領域Ｍ１、印字領域Ｍ２、印字領域Ｍ３のそれぞれの形状（円環、長方形等）を表すコード、寸法のデータ（内半径、外半径、横幅、縦幅等）、及び始点座標のデータが格納されている。
【００７２】
印字領域フォーマットファイルの構成は以上の通りであり、再び図２のフローチャートの説明に戻る。
【００７３】
ステップＳ２，Ｓ３において、フォーマット設定装置９が印字領域フォーマットデータをデータ記憶部１１に格納すると、次に、通信制御部１０は、テンプレートファイルの取得を行う（Ｓ４）。
【００７４】
ここで、フォーマット設定装置９のテンプレートファイルの取得動作について補足説明する。
【００７５】
図６は本発明の実施の形態１に係るラベル印字フォーマット設定システムのテンプレートファイルの取得手順を示すフローチャートである。
【００７６】
図６において、フォーマット設定装置９がテンプレートファイルのリストの要求を行うと（Ｓ１０７）、コンテンツ提供装置１は、テンプレートファイルのリストの要求を受信し（Ｓ１０８）、テンプレートファイル検索制御部５により、テンプレートファイルデータベース６から、ステップＳ１０３において受信したラベル印字用紙の管理番号に対応するテンプレートファイルのリストを検索し取得する（Ｓ１０９）。そして、通信制御部２は、これをフォーマット設定装置９へ送信する（Ｓ１１０）。
【００７７】
フォーマット設定装置９はテンプレートファイルのリストを受信すると（Ｓ１１１）、通信制御部１０は、出力端末であるディスプレイ１３にテンプレートファイルのリストを表示し、ユーザによりテンプレートファイルが選択されるのを待つ。入力端末１４より、ユーザがテンプレートファイルの選択を行うと（Ｓ１１２）、通信制御部１０は、選択されたテンプレートファイルの管理番号をコンテンツ提供装置１へ送信する（Ｓ１１３）。
【００７８】
尚、ステップＳ１１０において、テンプレートファイル検索制御部５は、各テンプレートファイルの内容を示す概略画像を作成し、通信制御部２は、テンプレートファイルのリストデータとともに、この概略画像のデータを送る。そして、通信制御部１０は、この概略画像をディスプレイ１３に表示する。これによって、ユーザは各テンプレートファイルの内容を容易に認識することができるため、ステップＳ１１２においてテンプレートファイルの選択を容易に行うことができる。
【００７９】
コンテンツ提供装置１は、ステップＳ１１３において通信制御部１０から送信されたテンプレートファイルの管理番号を受信すると（Ｓ１１４）、テンプレートファイル検索制御部５により、当該テンプレートファイルの管理番号に対応するテンプレートファイルのデータを、テンプレートファイルデータベース６から検索・取得し（Ｓ１１５）、フォーマット設定装置９へ送信する（Ｓ１１６）。
【００８０】
そして、フォーマット設定装置９がテンプレートファイルのデータを受信する（Ｓ１１７）ことにより、テンプレートファイルの取得を終了する。
【００８１】
以上の動作により、フォーマット設定装置９はテンプレートファイルを取得する。
【００８２】
尚、ここで本実施の形態におけるテンプレートファイルの構成についても補足説明しておく。
【００８３】
図７はラベル印字用紙内のテンプレート領域を示す概略図、図８はテンプレートファイルの内容を示す図である。
【００８４】
図７において、ラベル印字用紙１８には、印字領域１９，２０，２１（それぞれ、印字領域Ｍ１、印字領域Ｍ２、印字領域Ｍ３）が設けられており、これらは、図４で説明したものと同様である。
【００８５】
印字領域１９には、矩形状のテンプレート２３，２４が設けられており、印字領域２０には、矩形状のテンプレート２５が設けられており、印字領域２１には、矩形状のテンプレート２６が設けられている。以下、テンプレート２３，２４，２５，２６を、それぞれ、テンプレートＴ１，テンプレートＴ２，テンプレートＴ３，テンプレートＴ４という。
【００８６】
テンプレートＴ１は、始点座標が（Ｘ１１、Ｙ１１）、横幅がＷ１１、縦幅がＨ１１、属性がＺ１の長方形であり、長方形の中がテキスト印字領域である。
【００８７】
尚、ここで「属性」とは、各テンプレートがどの印字領域に属するかを示すものである。例えば、テンプレートＴ１は印字領域Ｍ１に属しているので、属性Ｚ１は印字領域Ｍ１の属性コードとなる。
【００８８】
また、テンプレートの「始点」とは、そのテンプレートが矩形状の場合であれば左下頂点、テンプレートが円形の場合には中心点といったように代表点として決められる点をいう。また、テンプレートの始点座標は、そのテンプレートが属する印字領域の始点を原点とする位置座標である。
【００８９】
テンプレートＴ２は、始点座標が（Ｘ１２、Ｙ１２）、横幅がＷ１２、縦幅がＨ１２、属性がＺ２の長方形であり、長方形の中がテキスト印字領域である。
【００９０】
テンプレートＴ３は、始点座標が（Ｘ１３、Ｙ１３）、横幅がＷ１３、縦幅がＨ１３、属性がＺ３の長方形であり、長方形の中がテキスト印字領域である。
【００９１】
テンプレートＴ４は、始点座標が（Ｘ１４、Ｙ１４）、横幅がＷ１４、縦幅がＨ１４、属性がＺ４の長方形であり、長方形の中がテキスト印字領域である。また、テンプレートＴ４内には罫線２７（以下、「罫線Ｋ１」という。）が引かれており、罫線Ｋ１は、始点座標が（Ｘ１５、Ｙ１５）、横幅がＷ１５、線幅がＨ１５である。
【００９２】
図８において、テンプレートファイル内には、テンプレートファイル管理番号とテンプレートファイルデータの組がリストとして格納されている。テンプレートファイルデータは、各テンプレート（テンプレートＴ１，テンプレートＴ２、テンプレートＴ３、テンプレートＴ４等）のそれぞれに対応する、そのテンプレートの形状（円環、長方形等）を表すコード、寸法、属性、及び、罫線などの簡易図形データの組により構成されている。
【００９３】
また、任意のテンプレートファイルは、複数の印字領域で共用して使用可能である。即ち、各テンプレートファイルは、複数の印字領域フォーマットファイルと組み合わせて使用することができる。さらに、テンプレートファイル内の各データ、例えば、テンプレートＴ１〜Ｔ４のデータを別個のファイルとすることにより、ファイルの共用化が図られる。
【００９４】
テンプレートファイルの構成は以上の通りであり、再び図２のフローチャートの説明に戻る。
【００９５】
フォーマット設定装置９の通信制御部１０は、ステップＳ４において通信制御部２から送信されたテンプレートファイルのデータをデータ記憶部１１に格納すると（Ｓ５）、次に、背景画像ファイルの取得を行う（Ｓ６）。
【００９６】
ここで、フォーマット設定装置９による背景画像ファイルの取得動作について補足説明する。
【００９７】
図９は、本発明の実施の形態１に係るラベル印字フォーマット設定システムの背景画像ファイルの取得手順を示すフローチャートである。
【００９８】
図９において、フォーマット設定装置９が背景画像ファイルのリストの要求を行うと（Ｓ１１８）、コンテンツ提供装置１は、背景画像ファイルのリストの要求を受信し（Ｓ１１９）、背景画像ファイル検索制御部７により、背景画像ファイルデータベース８から、ステップＳ１０３で受信したラベル印字用紙の管理番号に対応する背景画像ファイルの管理番号のリストを検索し取得する（Ｓ１２０）。そして、通信制御部２は、これをフォーマット設定装置９へ送信する（Ｓ１２１）。
【００９９】
フォーマット設定装置９は、背景画像ファイルのリストを受信すると（Ｓ１２２）、出力端末であるディスプレイ１３に背景画像ファイルのリストを表示し、ユーザによる背景画像ファイルの選択を待つ。
【０１００】
そして、ユーザにより入力端末１４を用いて背景画像ファイルの選択がなされると（Ｓ１２３）、通信制御部１０は、選択された背景画像ファイルの管理番号をコンテンツ提供装置１へ送信する（Ｓ１２４）。
【０１０１】
尚、ステップＳ１２１において、背景画像ファイル検索制御部７は、各背景画像ファイルの内容を示す概略画像を作成し、通信制御部２は、背景画像ファイルのリストデータとともに、この背景画像ファイルの概略画像のデータを送る。そして、通信制御部１０は、この概略画像をディスプレイ１３に表示する。これによって、ユーザは各背景ファイルの内容を容易に認識することができるため、ステップＳ１２３の背景画像ファイルの選択を容易に行うことができる。
【０１０２】
コンテンツ提供装置１は、ステップＳ１２４において通信制御部１０から送信された背景画像ファイルの管理番号を受信すると（Ｓ１２５）、背景画像ファイル検索制御部７により、背景画像ファイルの管理番号に対応する背景画像ファイルのデータを背景画像ファイルデータベース６から検索し取得する（Ｓ１２６）。そして、通信制御部２は、取得した背景画像ファイルのデータをフォーマット設定装置９へ送信する（Ｓ１２７）。
【０１０３】
そして、フォーマット設定装置９が背景画像ファイルのデータを受信する（Ｓ１２８）ことにより、背景画像ファイルの取得を終了する。
【０１０４】
以上の動作により、フォーマット設定装置９は背景画像ファイルを取得する。
【０１０５】
尚、本実施の形態における背景画像ファイルの構成についても補足説明しておく。
【０１０６】
図１０はラベル印字用紙内の背景画像領域を示す概略図、図１１は背景画像ファイルの内容を示す図である。
【０１０７】
図１０において、ラベル印字用紙１８には、印字領域１９，２０，２１（それぞれ、印字領域Ｍ１、印字領域Ｍ２、印字領域Ｍ３）が設けられている。これらは、図４と同様である。また、印字領域１９にはテンプレート２３，２４（それぞれ、テンプレートＴ１，Ｔ２）、印字領域２０にはテンプレート２５（テンプレートＴ３）、印字領域２１にはテンプレート２６（テンプレートＴ４）及び罫線２７（罫線Ｋ１）が設けられている。これらは、図７と同様である。
【０１０８】
また、印字領域１９には、円環状の背景画像２８（以下、「背景画像Ｊ１」という。）が配置されている。この背景画像Ｊ１は、中心座標が（Ｘ２１、Ｙ２１）で、外周半径がＲ２１、内周半径がＲ２２の２つの円により囲まれた円環状の画像であり、環内は空白データである。尚、この場合、円環の中心を「始点」、中心座標を「始点座標」とよぶ。
【０１０９】
尚、この場合の位置座標の原点は、その背景画像の属する印字領域の始点とする。すなわち、例えば、背景画像Ｊ１の始点座標（Ｘ２１、Ｙ２１）の原点は、背景画像Ｊ１の属する印字領域１９の始点座標（Ｘ１，Ｙ１）である。ここでは、背景画像Ｊ１の始点座標（Ｘ２１、Ｙ２１）は印字領域１９の始点（Ｘ１、Ｙ１）に重なっているので、（Ｘ２１、Ｙ２１）＝（０，０）となる。
【０１１０】
図１１において、背景画像ファイル内には、背景画像の管理番号と背景画像ファイルデータの組がリストとして格納されている。背景画像ファイルデータは、例えば、図１０の場合であれば、背景画像Ｊ１の形状（円環、長方形等）を表すコード、範囲、属性、及び、画像データが格納されている。
【０１１１】
ここで、「属性」とは、各背景画像がどの印字領域に属するかを示すものである。例えば、背景画像Ｊ１は印字領域１９に属しているので、属性Ｚ２１は印字領域１９の属性コードとなる。
【０１１２】
尚、図１０、図１１では、背景画像が１個である場合を例として説明したが、背景画像は複数あってもよい。また、任意の背景画像ファイルは、複数の印字領域、すなわち、印字領域フォーマットファイルで共通して使用することが可能であるため、ファイルの共用化が図れる。
【０１１３】
背景画像ファイルの構成は以上の通りであり、再び図２のフローチャートの説明に戻る。
【０１１４】
フォーマット設定装置９の通信制御部１０は、ステップＳ６において通信制御部２から送信された背景画像のデータをデータ記憶部１１に格納すると（Ｓ７）、ユーザに対して、ステップＳ４で取得した各テンプレートへのテキストの入力を促す入力画面をディスプレイ１３に表示し、入力端末１４からのユーザによるテキストの入力を待つ（Ｓ８）。そして、各テンプレートへのテキストの入力が終了すると、フォーマット設定装置９は、印字データ作成制御部１２により、ステップＳ２で取得した印字領域フォーマットデータと、ステップＳ４で取得したテンプレートファイルデータと、ステップＳ６で取得した背景画像ファイルデータと、ステップＳ８で入力したテキストデータを合成して、ラベル印字フォーマットを作成する（Ｓ９）。そして、通信制御部１０を介して、ローカルネットワーク１７に接続されたプリンタ１５に、当該ラベル印字フォーマットを送信し、処理を終了する。ラベル印字フォーマットを受信したプリンタ１５は、ラベル印字用紙に印字を行う。
【０１１５】
ところで、本実施の形態においては、ユーザが独自に定義した各印字領域フォーマットファイル、テンプレートファイル、及び、背景画像ファイルを、ユーザ定義ファイルとして、フォーマット設定装置９のデータ記憶部１１に格納することも可能である。また、当該ユーザ定義ファイルをプリンタ１５に格納してもよい。
【０１１６】
（実施の形態２）
図１２は、本発明の実施の形態２に係るラベル印字フォーマット設定システムの一実施例を示すブロック図である。
【０１１７】
図１２において、本実施の形態に係るラベル印字フォーマット設定システムは、コンテンツ提供装置１とフォーマット設定装置９とがネットワーク１６により接続された構成からなる。
【０１１８】
コンテンツ提供装置１は、通信制御部２、印字領域フォーマット検索制御部３、印字領域フォーマットデータベース４、テンプレートファイル検索制御部５、テンプレートファイルデータベース６、背景画像ファイル検索制御部７、及び背景画像ファイルデータベース８を有し、また、フォーマット設定装置９は、通信制御部１０及びデータ記憶部１１を有するが、これは実施の形態１と同様である。また、フォーマット設定装置９は、ローカルネットワーク１７により、ディスプレイ１３、入力端末１４、及びプリンタ１５とに接続されている構成も実施の形態１と同様である。
【０１１９】
本実施の形態においては、コンテンツ提供装置１は、印字データ作成制御部２９、データ記憶部３０、プリンタ設定ファイル検索制御部３１、及びプリンタ設定ファイルデータベース３２を有する。
【０１２０】
ここで、本発明の構成と、本実施の形態におけるシステムの各部の構成との対応関係は、以下の通りである。
【０１２１】
まず、印字領域フォーマットファイル記憶手段、テンプレートファイル記憶手段、及び画像ファイル記憶手段、プリンタ設定データ記憶手段は、それぞれ、印字領域フォーマットデータベース４、テンプレートファイルデータベース６、背景画像ファイルデータベース８、及びプリンタ設定ファイルデータベース３２により実現されている。また、フォーマット生成手段は、印字データ作成制御部２９により実現されている。また、フォーマット送信手段は、通信制御部２により実現されている。また、選択指示手段、フォーマット設定手段、テキストデータ送信手段、プリンタ特定コード送信手段は、通信制御部１０により実現されている。また、プリンタ設定データ取得手段は、プリンタ設定ファイル検索制御部３１により実現されている。また、ユーザファイル記憶手段は、データ記憶部１１により実現されている。また、概略画像提供手段は、テンプレートファイル検索制御部５、背景画像ファイル検索制御部７、及び通信制御部２が協働することにより実現されている。また、表示手段は、ディスプレイ１３により実現されている。また、選択表示手段は、通信制御部１０、ディスプレイ１３、及び入力端末１４が協働することにより実現されている。
【０１２２】
以上のように構成された本実施の形態に係るラベル印字フォーマット設定システムにおいて、以下その動作を説明する。
【０１２３】
図１３は、本発明の実施の形態２に係るラベル印字フォーマット設定システムの動作手順を示すフローチャートである。
【０１２４】
図１３において、入力端末１４からフォーマット設定装置９にラベル印字フォーマット設定の要求があると（Ｓ１２）、フォーマット設定装置９は印字領域フォーマットファイルの選択を行う（Ｓ１３）。
【０１２５】
ここで、フォーマット設定装置９の印字領域フォーマットファイルの選択動作について補足説明する。
【０１２６】
図１４は、本発明の実施の形態２に係るラベル印字フォーマット設定システムの印字領域フォーマットファイルの選択手順を示すフローチャートである。
【０１２７】
図１４において、入力端末１４からのラベル印字用紙の管理番号が入力されると（Ｓ１３０）、フォーマット設定装置９はラベル印字用紙の管理番号をコンテンツ提供装置１へ送信する（Ｓ１３１）。
【０１２８】
コンテンツ提供装置１は、ラベル印字用紙の管理番号を受信すると（Ｓ１３２）、印字領域フォーマット検索部３により、印字領域フォーマットデータベース４からラベル印字用紙の管理番号に対応した印字領域フォーマットファイルを検索し、そのデータをデータ記憶部３０に格納する（Ｓ１３３）。そして、印字領域フォーマットファイルの検索終了をフォーマット設定装置９へ送信する（Ｓ１３４）。
【０１２９】
フォーマット設定装置９は、印字領域フォーマットファイルの検索終了の通知を受信して（Ｓ１３５）、Ｓ１３の印字領域フォーマットファイルの選択処理を終了する。
【０１３０】
以上の動作により、フォーマット設定装置９は印字領域フォーマットファイルを選択する。
【０１３１】
再び図１３のフローチャートの説明に戻る。
【０１３２】
フォーマット設定装置９は、ステップＳ１３において、印字領域フォーマットファイルを選択すると、次に、テンプレートファイルの選択を行う（Ｓ１４）。
【０１３３】
ここで、フォーマット設定装置９のテンプレートファイルの選択動作について補足説明する。
【０１３４】
図１５は本発明の実施の形態２に係るラベル印字フォーマット設定システムのテンプレートファイルの選択手順を示すフローチャートである。
【０１３５】
図１５において、入力端末１４よりテンプレートファイルのリストの要求がなされると（Ｓ１３６）、コンテンツ提供装置１は、当該要求を受信し（Ｓ１３７）、テンプレートファイル検索制御部５は、テンプレートファイルデータベース６から、ステップＳ１３２で受信した印字領域フォーマットファイルの管理番号に対応したテンプレートファイルを検索し、テンプレートファイルのリストを取得する（Ｓ１３８）。そして、通信制御部２は、テンプレートファイル検索制御部５が取得したテンプレートファイルのリストをフォーマット設定装置９へ送信する（Ｓ１３９）。
【０１３６】
フォーマット設定装置９はテンプレートファイルのリストを受信すると（Ｓ１４０）、出力端末であるディスプレイ１３にテンプレートファイルのリストを表示し、ユーザによるテンプレートファイルの選択を待つ。
【０１３７】
入力端末１４より、テンプレートファイルの選択がなされると（Ｓ１４１）、通信制御部１０は、選択されたテンプレートファイルの管理番号をコンテンツ提供装置１へ送信する（Ｓ１４２）。
【０１３８】
尚、ステップＳ１３９において、テンプレートファイル検索制御部５は、各テンプレートファイルの内容を示す概略画像を作成し、通信制御部２は、テンプレートファイルのリストデータとともに、このテンプレートファイルの概略画像のデータを送る。そして、通信制御部１０は、この概略画像をディスプレイ１３に表示する。これによって、ユーザは各テンプレートファイルの内容を容易に認識することができるため、ステップＳ１４１においてテンプレートファイルの選択を容易に行うことができる。
【０１３９】
コンテンツ提供装置１は、ステップＳ１４２において通信制御部１０から送信されたテンプレートファイルの管理番号を受信すると（Ｓ１４３）、テンプレートファイル検索制御部５により、当該テンプレートファイルの管理番号に対応するテンプレートファイルをテンプレートファイルデータベース６から検索して取得し、そのデータをデータ記憶部３０へ格納する（Ｓ１４４）。さらに、通信制御部２は、テンプレートファイルの検索終了をフォーマット設定装置９へ通知する（Ｓ１４５）。
【０１４０】
そして、フォーマット設定装置９がテンプレートファイルの検索終了を受信する（Ｓ１４６）ことにより、テンプレートファイルの選択を終了する。
【０１４１】
以上の動作により、フォーマット設定装置９は印字領域フォーマットファイルを選択する。
【０１４２】
そこで、再び図１３のフローチャートの説明に戻る。
【０１４３】
フォーマット設定装置９は、ステップＳ１４においてテンプレートファイルの選択を終了すると、次に、背景画像ファイルの選択を行う（Ｓ１５）。
【０１４４】
ここで、フォーマット設定装置９による背景画像ファイルの選択動作について補足説明する。
【０１４５】
図１６は本発明の実施の形態２に係るラベル印字フォーマット設定システムの背景画像ファイルの選択手順を示すフローチャートである。
【０１４６】
図１６において、入力端末１４より背景画像ファイルのリストの要求がなされると（Ｓ１４７）、コンテンツ提供装置１は要求を受信し（Ｓ１４８）、背景画像ファイル検索制御部７により、背景画像ファイルデータベース８から、ステップＳ１３２で受信した印字領域フォーマットファイルの管理番号に対応した背景画像ファイルの検索を行い、背景画像ファイルのリストを取得する（Ｓ１４９）。そして、通信制御部２は、当該背景画像ファイルのリストをフォーマット設定装置９へ送信する（Ｓ１５０）。
【０１４７】
フォーマット設定装置９は背景画像ファイルのリストを受信すると（Ｓ１５１）、出力端末であるディスプレイ１３に背景画像ファイルのリストを表示し、ユーザによる背景画像ファイルの選択を待つ。
【０１４８】
そして、ユーザにより入力端末１４を用いて、背景画像ファイルの選択がなされると（Ｓ１５２）、通信制御部１０は、選択された背景画像ファイルの管理番号をコンテンツ提供装置１へ送信する（Ｓ１５３）。
【０１４９】
尚、ステップＳ１５０において、背景画像ファイル検索制御部７は、各背景画像ファイルの内容を示す概略画像を作成し、通信制御部２は、背景画像ファイルのリストデータとともに、この背景画像ファイルの概略画像のデータを送る。そして、通信制御部１０は、この概略画像をディスプレイ１３に表示する。これによって、ユーザは各背景ファイルの内容を容易に認識することができるため、ステップＳ１５２の背景画像ファイルの選択を容易に行うことができる。
【０１５０】
コンテンツ提供装置１は、ステップＳ１５３において通信制御部１０から送信された背景画像ファイルの管理番号を受信すると（Ｓ１５４）、背景画像ファイル検索制御部７により、背景画像ファイルの管理番号に対応する背景画像ファイルを背景画像ファイルデータベース８から検索して、そのデータをデータ記憶部３０へ格納する（Ｓ１５５）。さらに、通信制御部２は、背景画像ファイルの検索終了をフォーマット設定装置９へ通知する（Ｓ１５６）。
【０１５１】
そして、フォーマット設定装置９が背景画像ファイルの検索終了を受信する（Ｓ１５７）ことにより、背景画像ファイルの選択を終了する。
【０１５２】
以上の動作により、フォーマット設定装置９は背景画像ファイルを選択する。
【０１５３】
そこで、再び図１３のフローチャートの説明に戻る。
【０１５４】
フォーマット設定装置９は、ステップＳ１５において背景画像ファイルの選択を行うと、ユーザに対して、ステップＳ４で取得した各テンプレートへのテキストの入力を促す入力画面をディスプレイ１３に表示し、入力端末１４からのユーザによるテキストの入力待つ。そして、各テンプレートへのテキストの入力が終了すると、フォーマット設定装置９は入力されたテキストデータをコンテンツ提供装置１へ送信する（Ｓ１６）。そして、コンテンツ提供装置１は、当該テキストデータを受信すると、データ記憶部３０へ格納する。
【０１５５】
続いて、フォーマット設定装置９は、プリンタの選択を行う（Ｓ１７）。
【０１５６】
ここで、フォーマット設定装置９によるプリンタの選択動作について補足説明する。
【０１５７】
図１７は本発明の実施の形態２に係るラベル印字フォーマット設定システムのプリンタの選択手順を示すフローチャートである。
【０１５８】
図１７において、入力端末１４よりプリンタ名の選択が行われると（Ｓ１５８）、フォーマット設定装置９は選択したプリンタ名をコンテンツ提供装置１へ送信する（Ｓ１５９）。
【０１５９】
コンテンツ提供装置１は、当該プリンタ名を受信すると（Ｓ１６０）、プリンタ設定ファイル検索制御部３１により、プリンタ設定ファイルデータベース３２からプリンタ設定ファイルを検索し、そのデータをデータ記憶部３０へ格納する（Ｓ１６１）。そして、プリンタ設定ファイルの検索終了通知をフォーマット設定装置９へ送信する（Ｓ１６２）。
【０１６０】
フォーマット設定装置９は、プリンタ設定ファイルの検索終了通知を受信後（Ｓ１６３）、入力端末１４を介して、ユーザより印字実行が選択されると、通新装置９はコンテンツ提供装置１に印字データの要求を行う（Ｓ１８）。
【０１６１】
印字データの要求を受けたコンテンツ提供装置１は、印字データ作成制御部３１により、データ記憶部３０に格納された印字領域フォーマットデータと、テンプレートデータと、背景画像ファイルと、プリンタ設定ファイルとから印字データを作成する。そして、通信制御部２は、そのデータをフォーマット設定装置９へ送信する。
【０１６２】
ここで、作成される印字データには、ラベル印字用紙の管理番号、及び、プリンタ設定ファイルから得られる左右上下の印字マージン、印字品質、印字速度などのプリンタ設定データが含まれる。
【０１６３】
印字データを受信したフォーマット設定装置９は、通信制御部１０を介して、ローカルネットワーク１７に接続したプリンタ１５へ印字データを転送し（Ｓ１９）、処理を終了する（Ｓ２０）。そして、印字データを受信したプリンタ１５は印字を行う。
【０１６４】
ところで、ユーザが独自に定義した各印字領域フォーマットファイル、テンプレートファイル、及び、背景画像ファイルは、ユーザ定義ファイルとして、フォーマット設定装置９のデータ記憶部１１、又は、プリンタ１５に格納することも可能であるが、この場合、コンテンツ提供装置１内のファイルを選択するかわりにユーザ定義ファイルがコンテンツ提供装置１へ送られる。
【０１６５】
【発明の効果】
以上のように、請求項１に係る発明によれば、管理番号により管理された印字領域フォーマットファイルと、各印字領域フォーマットファイルに対応した共用のテンプレートファイル、及び背景画像ファイルを、コンテンツ提供装置が供給し、それらを合成してラベル印字フォーマットを生成することにより、多種多様なラベル印字用紙に柔軟に対応したラベル印字フォーマットを、サーバー、プリンタ、又はコンテンツ提供装置の記憶領域の容量を過大にすることなく、容易に設定することができるラベル印字フォーマット設定システムを提供することが可能となる。
【０１６６】
請求項２に係る発明によれば、コンテンツ提供装置が供給する印字領域フォーマットファイル、テンプレートファイル、背景画像ファイルと、テンプレートファイルに設けられたテキスト記述領域にユーザが入力したテキストデータを合成することにより、容易にテキストを入力することができ、また、多様なラベル印字フォーマットを使用することができるという有利な効果が得られる。
【０１６７】
請求項３に係る発明によれば、ユーザが独自に作った印字領域フォーマットファイル、テンプレートファイル、背景画像ファイルを保存することにより、ユーザ独自のファイルを繰り返し使うことができ、さらに多様なラベル印字フォーマットを使用することができるという有利な効果が得られる。
【０１６８】
請求項４に係る発明によれば、コンテンツ提供装置が印字領域フォーマットファイル、テンプレートファイル、背景画像ファイルの概略画像を供給することにより、ユーザが各ファイルの概略が簡単に判るので、各ファイルの選択が容易で効率的であるとともに、ファイル容量が小さいので、短い時間で概略画像データの取得ができるという有利な効果が得られる。
【０１６９】
また、請求項５に係る発明によれば、コンテンツ提供装置が、ラベル印字フォーマットを管理番号により管理された印字領域フォーマットと、各印字領域フォーマットに対応した共用のテンプレートファイル、及び、背景画像ファイルを供給し、かつ、印字データの作成を行うことによって、ラベル印字フォーマットの設定を容易にするとともにフォーマット設定装置の処理を軽減できる。
【０１７０】
請求項６に係る発明によれば、コンテンツ提供装置が供給する印字領域フォーマットファイル、テンプレートファイル、背景画像ファイルと、テンプレートファイルに設けられたテキスト記述領域にユーザが入力したテキストデータを合成することにより、容易にテキストを入力することができ、また、多様なラベル印字フォーマットを使用することができるという有利な効果が得られる。
【０１７１】
請求項７に係る発明によれば、コンテンツ提供装置がプリンタ設定ファイルを参照して、印字データを作成することにより、ラベル印字用紙に適合した印字データを供給することができ、良質な印字結果が得られるという有利な効果が得られる。
【０１７２】
請求項８に係る発明によれば、コンテンツ提供装置が作成する印字データと共に、プリンタ設定データを供給することにより、ラベル印字用紙に最適なプリンタの設定が容易にできると共に、良質な印字結果が得られるという有利な効果が得られる。
【０１７３】
請求項９に係る発明によれば、ユーザが独自に作った印字領域フォーマットファイル、テンプレートファイル、背景画像ファイルを保存することにより、ユーザ独自のファイルを繰り返し使うことができ、さらに多様なラベル印字フォーマットを使用することができるという有利な効果が得られる。
【０１７４】
請求項１０に係る発明によれば、コンテンツ提供装置が印字領域フォーマットファイル、テンプレートファイル、背景画像ファイルの概略画像を供給することにより、ユーザが各ファイルの概略が簡単に判るので、各ファイルの選択が容易で効率的であると共に、ファイル容量が小さいので、短い時間で概略画像のデータが取得できるという有利な効果が得られる。
【図面の簡単な説明】
【図１】本発明の実施の形態１に係るラベル印字フォーマット設定システムを示すブロック図
【図２】本発明の実施の形態１に係るラベル印字フォーマット設定システムの動作手順を示すフローチャート
【図３】本発明の実施の形態１に係るラベル印字フォーマット設定システムの印字領域フォーマットファイルの取得手順を示すフローチャート
【図４】ラベル印字用紙の印字領域を示す概略図
【図５】印字領域フォーマットファイルの内容を示す図
【図６】本発明の実施の形態１に係るラベル印字フォーマット設定システムのテンプレートファイルの取得手順を示すフローチャート
【図７】ラベル印字用紙内のテンプレート領域を示す概略図
【図８】テンプレートファイルの内容を示す図
【図９】本発明の実施の形態１に係るラベル印字フォーマット設定システムの背景画像ファイルの取得手順を示すフローチャート
【図１０】ラベル印字用紙内の背景画像領域を示す概略図
【図１１】背景画像ファイルの内容を示す図
【図１２】本発明の実施の形態２に係るラベル印字フォーマット設定システムの一実施例を示すブロック図
【図１３】本発明の実施の形態２に係るラベル印字フォーマット設定システムの動作手順を示すフローチャート
【図１４】本発明の実施の形態２に係るラベル印字フォーマット設定システムの印字領域フォーマットファイルの選択手順を示すフローチャート
【図１５】本発明の実施の形態２に係るラベル印字フォーマット設定システムのテンプレートファイルの選択手順を示すフローチャート
【図１６】本発明の実施の形態２に係るラベル印字フォーマット設定システムの背景画像ファイルの選択手順を示すフローチャート
【図１７】本発明の実施の形態２に係るラベル印字フォーマット設定システムのプリンタの選択手順を示すフローチャート
【図１８】従来のラベル印字フォーマット設定システムを示すブロック図
【図１９】従来の技術の制御装置の印字時の処理を示すフローチャート
【図２０】従来の技術のラベル印字用紙の印字領域を示す図
【図２１】従来の技術の印字領域フォーマットデータを表す図
【符号の説明】
１  コンテンツ提供装置
２、１０、１０２、１０６  通信制御部
３、１０３  印字領域フォーマット検索制御部
４、１０４  印字領域フォーマットデータベース
５  テンプレートファイル検索制御部
６  テンプレートファイルデータベース
７  背景画像ファイル検索制御部
８  背景画像ファイルデータベース
９  フォーマット設定装置
１１、３０、１０７  データ記憶部
１２、２９、１０８  印字データ作成制御部
１３  ディスプレイ
１４  入力端末
１５、１１３  プリンタ
１６、１１４  ネットワーク
１７  ローカルネットワーク
１８  ラベル印字用紙
１９  印字領域Ｍ１
２０  印字領域Ｍ２
２１  印字領域Ｍ３
２２  頂点
２３  テンプレートＴ１
２４  テンプレートＴ２
２５  テンプレートＴ３
２６  テンプレートＴ４
２７  罫線Ｋ１
２８  背景画像Ｊ１
３１  プリンタ設定ファイル検索制御部
３２  プリンタ設定ファイルデータベース
１０１  サーバー
１０５  制御装置
１０９  入力制御部
１１０  ディスプレイ制御部
１１１  キーボード
１１２  ＣＲＴディスプレイ
【図１】
2004192407.tif 000003
【図２】
2004192407.tif 000004
【図３】
2004192407.tif 000005
【図４】
2004192407.tif 000006
【図５】
2004192407.tif 000007
【図６】
2004192407.tif 000008
【図７】
2004192407.tif 000009
【図８】
2004192407.tif 000010
【図９】
2004192407.tif 000011
【図１０】
2004192407.tif 000012
【図１１】
2004192407.tif 000013
【図１２】
2004192407.tif 000014
【図１３】
2004192407.tif 000015
【図１４】
2004192407.tif 000016
【図１５】
2004192407.tif 000017
【図１６】
2004192407.tif 000018
【図１７】
2004192407.tif 000019
【図１８】
2004192407.tif 000020
【図１９】
2004192407.tif 000021
【図２０】
2004192407.tif 000022
【図２１】
2004192407.tif 000023